(57)【特許請求の範囲】
【請求項１】
ヒーターを有した調理庫を内装した本体と、この本体の前面本体の前面開口部を開閉する扉と、前記調理庫の両端部につめ部を有した反射板と遮熱板を設け、前記つめ部を左右側板につめ曲げして固定し調理庫を構成し少なくとも反射板の爪を遮熱板のつめより長く構成したオーブントースター。
【発明の詳細な説明】
【０００１】
【発明の属する技術分野】
本発明は、一般家庭で使用するオーブントースターに関するものである。
【０００２】
【従来の技術】
従来この種のオーブントースターは、実開昭６３−４６７１７号公報に示されているように、例えば図９のような構造になっていた。即ち、外筐体４０の内部に左右側板と反射板で構成される調理庫４１を形成し、内筐体４２としておりこの内筐体の側壁に上下ヒータ４３、４４を懸架し、かつこの上下ヒータ４３、４４の間に焼網４５を設け、内筐体４２の前側開口部を開閉する扉４６を設け、さらに扉４６下方に上下ヒータ４３、４４への通電を制御する制御部４７が取り付けられている。また、焼網４５上には加熱調理する食パン等の調理物４８が載置されている。
【０００３】
【発明が解決しようとする課題】
しかし従来の外装体の組み立ては部品点数が多く組み立てがし難いものであり、側板との段差が不均一になったりしていた。また前板の組み立ては従来のものはビス止めして組み立て、時間を要していた。また板金製の前板の樹脂製のパネルの嵌合状態が悪く誤動作していた。また最近では調理器もマイコンなども搭載し配線も複雑になりリード線処理も必要となってきた。本発明はこのような従来の問題点を解決することを目的とするものである。
【０００４】
【課題を解決するための手段】
上記目的を達成するために、本発明の手段の一つは、ヒーターを有した調理庫を内装した本体と、この本体の前面本体の前面開口部を開閉する扉と、前記調理庫の両端部につめ部を有した反射板と遮熱板を設け、前記つめ部を左右側板につめ曲げして固定し調理庫を構成し少なくとも反射板の爪を遮熱板のつめより長く構成したオーブントースターとして、組み立てやすくしたものである。
【０００５】
【発明の実施の形態】
請求項１記載の発明は、ヒーターを有した調理庫を内装した本体と、この本体の前面本体の前面開口部を開閉する扉と、前記調理庫の両端部につめ部を有した反射板と遮熱板を設け、前記つめ部を左右側板につめ曲げして固定し調理庫を構成し少なくとも反射板の爪を遮熱板のつめより長く構成し、組み立てやすくしたものである。
【０００６】
【実施例】
（実施例１）
本発明の第１の実施例について、図面を参照しながら説明する。図１〜図８において、１は前面側が開口した外筐体であり、２は左右側板３と反射板４からなる調理庫を形成する内筐体である。
【０００７】
６は前記内筐体の下部に設けられたつめ部を有する前反射板である。７は前記前反射板の前方に設けた両端部につめ部を有する遮熱板である。このつめ部を前記左右側板につめ曲げして組み合わされる。８はこの調理器具本体の前面開口部を開閉する扉である。
【０００８】
９は調理器具本体の底部の前方より着脱自在に構成されたくず受け皿である。このくず受け皿は中央部にくずを受ける凹部を９ａを有している。１０は内筐体の底部に設けた底板で両サイドをコ字状９ａに構成し、上方に規制しかつ前記くず受け皿９を収納している。１１は内筐体２の上部側壁に懸架された上ヒータで遠赤外線１１ａと近赤外線のヒーター１１ｂを設けている。１２は内筐体３の下部側壁に懸架された下ヒータである。
【０００９】
１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００１０】
１４は外筐体１の前面の扉８の右方に設けられた前板であり、前板１４には電源スイッチ１５ａ・自動調理ボタン１５ｂ・ＬＥＤ１５ｃ．表示ランプ１５ｅ等の操作部１６が設けられている。
【００１１】
前反射板６と遮熱板７のつめ部を少なくとも反射板の爪６ａを遮熱板７ａのつめより長く構成したものである。
【００１２】
このように構成したことにより例えば左右側板と反射板を組み立てさらに下方の前反射板と遮熱板を組み立てるとき同時に左右側板につめ部を入れようとした場合入れに難く組み立てずらいものである。さらに前反射板のつめを入れそのあとに遮熱板を入れるとしたら、既に入れてしまった前反射板の爪もはずれるものである。従ってあとから入れる遮熱板の爪を反射板の爪より短くしておくと組み立て性が向上するものである。
【００１３】
（参考例１）
本発明の第１の参考例について、図面を参照しながら説明する。図１〜図８において、１は前面側が開口した外筐体であり、２は左右側板３と反射板４からなる調理庫を形成する内筐体である。
【００１４】
６は前記内筐体の下部に設けられた前反射板である。７は前記前反射板の前方に設けた遮熱板である。この遮熱板の一部に両サイドより切り起こし部７ｂとリード線保持部７ｃを設けている。８はこの調理器具本体の前面開口部を開閉する扉である。
【００１５】
９は調理器具本体の底部の前方より着脱自在に構成されたくず受け皿である。このくず受け皿は中央部にくずを受ける凹部を９ａを有している。１０は内筐体の底部に設けた底板で両サイドをコ字状９ａに構成し、上方に規制しかつ前記くず受け皿９を収納している。１１は内筐体２の上部側壁に懸架された上ヒータで遠赤外線１１ａと近赤外線のヒーター１１ｂを設けている。
【００１６】
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００１７】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１７が設けられている。
【００１８】
遮熱板７に内部配線用のリード保持部７ｃを両サイドまたは片側に設けているものである。従ってこの保持部７Ｃにリード線を保持させた後、折り曲げることによりリード線を固定できるものである。
【００１９】
このように構成したことによりリード線２３の引き回しを安定させることができリード線被服も保護でき絶縁不良などなくすことができる。
【００２０】
【発明の効果】
請求項１記載の発明によれば、ヒーターを有し、左右側板と反射板で調理庫を形成し、内装した調理器具本体と、こ本体の前面本体の前面開口部を開閉する扉とさらに前記調理器具本体の調理庫を構成するつめ部を有した反射板と遮熱板にこのつめ部を左右側板につめ曲げして固定し、少なくとも反射板の爪を遮熱板のつめより長く構成し、組み立てやすくしたものである。
【図面の簡単な説明】
【図１】  本発明の一実施例におけるオーブントースターの断面図
【図２】  本発明の一実施例におけるオーブントースターの外観斜視図
【図３】  本発明の一実施例におけるオーブントースターの正面図
【図４】  本発明の一実施例におけるオーブントースターの要部断面図
【図５】  本発明の一実施例におけるオーブントースターの内筐体の組み立て状態を示す一部破断側面図
【図６】  本発明の一実施例におけるオーブントースターの内筐体の一部破断図
【図７】  本発明の一実施例におけるオーブントースターの遮熱板のつめ曲げを示す図
【図８】  本発明の一実施例におけるオーブントースターのリード線の配線状態を示す図
【図９】  従来のオーブントースターの要部断面図
【符号の説明】
１      外筐体
２      内筐体
４      反射板
５      調理庫
６      前反射板
６ａ    反射板の爪
７      遮熱板
８      扉
９      くず受け皿
９ａ    凹部
１０    底板
１０ａ  コ字状曲げ部
１０ｂ  フック部
１１    上ヒーター
１２    下ヒーター
１３    焼き網
１４    前板
１６    操作部
【図１】
0003719201.tif 000002
【図２】
0003719201.tif 000003
【図３】
0003719201.tif 000004
【図４】
0003719201.tif 000005
【図５】
0003719201.tif 000006
【図６】
0003719201.tif 000007
【図７】
0003719201.tif 000008
【図８】
0003719201.tif 000009
【図９】
0003719201.tif 000010